(57)【要約】【課題】  扉に対する取り付けを含めて操作が簡単であって、扉を閉めるたびに確実に自動ロックがかかるようにする。【解決手段】  扉体の戸当たりを挟んで対向配置される左右一対の固定ユニットを有し、その一方の固定ユニット２０に操作ノブ４４を有するロックレバー４０と、ラッチガイド溝５２とラッチピン５３との組み合わせからなるプッシュラッチ式のロック制御手段５０を設け、閉じられる扉によってロックレバー４０が押し戻されると、コイルバネロック制御手段５０によりロックレバー４０が施錠位置に飛び出すようにする。【選択図】  図３
2006029068.tif 000002
【特許請求の範囲】
【請求項１】
食器棚などに設けられている回転式の扉体を閉じたときに自動的に施錠する扉の施錠装置において、
上記扉体の戸当たりを挟んで左右一対として対向的に配置される第１および第２の固定ユニットを含み、上記第１固定ユニットには、上記第２固定ユニットに対して進入・後退可能なロックレバーと、上記ロックレバーを上記第２固定ユニットに向かう進入方向に常時付勢するバネ手段と、上記ロックレバーを上記第２固定ユニット内に深く進入している施錠位置から上記バネ手段の付勢力に抗して解錠位置に後退させる操作ノブと、上記ロックレバーの動きを制御するロック制御手段とが設けられ、
上記ロック制御手段は、上記ロックレバーを上記解錠位置から上記扉体が閉扉可能な状態で上記ロックレバーの先端側の一部分が上記第２固定ユニットの端縁に当接し得る待機位置に案内するとともに、上記待機位置で上記ロックレバーが上記第２固定ユニットと当接して後退させられると上記ロックレバーの上記待機位置から上記施錠位置への移動を可能とすることを特徴とする扉の施錠装置。
【請求項２】
上記ロック制御手段には、相対的に移動するラッチピンとラッチピンガイド部とが含まれ、上記ラッチピンガイド部には、上記ラッチピンを上記施錠位置から第１の上記解錠位置に向けて案内する往路側の第１ラッチガイド溝と、上記ラッチピンを上記解錠位置から上記待機位置に向けて案内する中間の第２ラッチガイド溝と、上記ラッチピンを上記待機位置から一旦第２の上記解錠位置に導いてから上記施錠位置に戻す復路側の第３ラッチガイド溝とが環状に形成されていることを特徴とする請求項１に記載の扉の施錠装置。
【請求項３】
上記ロック制御手段には、少なくとも上記施錠位置と上記待機位置とにおいて上記ラッチピンのピン端部を目視可能とする透視孔が設けられていることを特徴とする請求項２に記載の扉の施錠装置。
【請求項４】
上記各固定ユニットはともに筒状に形成されたハウジングを備え、上記ロックレバーの先端および／または上記第２固定ユニットのハウジングの開口端縁には回転方向の力を上記ロックレバーに直線方向の力として与えるテーパー面が形成されていることを特徴とする請求項１ないし３のいずれか１項に記載の扉の施錠装置。
【請求項５】
上記ロックレバーと上記第２固定ユニットのハウジングとの間には、ガイドレールとガイド溝とからなるロックレバーガイド手段が設けられていることを特徴とする請求項１ないし４のいずれか１項に記載の扉の施錠装置。
【請求項６】
上記各固定ユニットを上記扉体の戸当たりを挟んで左右一対として対向的に配置する際に、それらの間隔を規定するスペーサを備えていることを特徴とする請求項１ないし５のいずれか１項に記載の扉の施錠装置。
【請求項７】
上記ロックレバーには、上記扉体が強制的に開かれた際に、上記ロックレバーが上記第２固定ユニットから抜け出ることを防止するための脱落防止手段が設けられていることを特徴とする請求項１〜６のいずれか１項に記載の扉の施錠装置。
【請求項８】
上記脱落防止手段は上記ロックレバーの上記扉体と対向する側の底面に幅方向に沿って形成された係止溝からなり、上記係止溝が上記第２固定ユニットの開口部に噛合することを特徴とする請求項７に記載の扉の施錠装置。
【請求項９】
上記各固定ユニットは、所定の固定手段を介して被取付面に取り付けられるベース板を有し、上記ベース板は上記各固定ユニットに対してスライド可能に取り付けられていることを特徴とする請求項１〜８のいずれか１項に記載の扉の施錠装置。
【発明の詳細な説明】
【技術分野】
【０００１】
本発明は地震などによって食器棚などの扉が勝手に開かないようにするための扉の施錠装置に関し、さらに詳しく言えば、扉を閉じたときに自動的に施錠する回転式扉の施錠装置に関するものである。
【背景技術】
【０００２】
地震が発生した場合、食器棚やタンスなどの扉が振動によって勝手に開き収納物が室内に散乱することが懸念されている。とりわけ、食器棚に収納されている収納物の多くはガラス材や陶器製で落下の衝撃によって壊れやすいため、その破片によって二次的な被害を引き起こし兼ねない。
【０００３】
このような扉の開きによって引き起こされる二次的な被害を防止するための防災用品が種々提案されているが、簡単な構成のものとしては、例えば特許文献１に記載されているように、両開き扉の各扉体に設けられた固定金具の間にボールチェーンを掛け渡して扉の開閉を防止する扉の開き止め金具がある。
【０００４】
また、例えば特許文献２には、振り子式の地震感知手段によって振動を感知してロック軸を自動的に作動させることにより扉が開かないようにした感震ロック具が提案されている。これによれば、日常生活には開閉に支障なく使用でき揺れを感知すると自動的に扉にロックを掛けるかけることができる。
【０００５】
しかしながら、いずれの装置にしても次のような問題がある。すなわち、特許文献１に記載の開き止め金具の場合は、常にボールチェーンを掛け渡してロックを掛けておく必要があり、開閉のたびにロックをいちいち外さなくてはならない。また、片手で操作することが難しいため操作性にも難がある。
【０００６】
また、特許文献２に記載の感震ロック具は、地震感知手段に複雑な構成を必要とするためコストが高くなることは否めない。また、誤作動によってロックがかかってしまう場合も多く、そのたびにいちいちロックを解除するのは面倒である。そればかりでなく、地震の場合に確実に動作するかどうかという不安もある。
【０００７】
【特許文献１】特開平１０−４２９８６号公報
【特許文献２】特開平９−８８４０２号公報
【発明の開示】
【発明が解決しようとする課題】
【０００８】
本発明は上述した問題を解決するためになされたものであって、その目的は、扉に対する取り付けを含めて操作が簡単であって、扉を閉めるたびに確実に自動ロックがかかるようにした扉の施錠装置を安価に提供することにある。
【課題を解決するための手段】
【０００９】
上記目的を達成するため、本発明は以下に示すいくつかの特徴を備えている。まず、請求項１に記載の発明は、食器棚などに設けられている回転式の扉体を閉じたときに自動的に施錠する扉の施錠装置において、上記扉体の戸当たりを挟んで左右一対として対向的に配置される第１および第２の固定ユニットを含み、上記第１固定ユニットには、上記第２固定ユニットに対して進入・後退可能なロックレバーと、上記ロックレバーを上記第２固定ユニットに向かう進入方向に常時付勢するバネ手段と、上記ロックレバーを上記第２固定ユニット内に深く進入している施錠位置から上記バネ手段の付勢力に抗して解錠位置に後退させる操作ノブと、上記ロックレバーの動きを制御するロック制御手段とが設けられ、上記ロック制御手段は、上記ロックレバーを上記解錠位置から上記扉体が閉扉可能な状態で上記ロックレバーの先端側の一部分が上記第２固定ユニットの端縁に当接し得る待機位置に案内するとともに、上記待機位置で上記ロックレバーが上記第２固定ユニットと当接して後退させられると上記ロックレバーの上記待機位置から上記施錠位置への移動を可能とすることを特徴としている。
【００１０】
請求項２に記載の発明は、上記請求項１において、上記ロック制御手段には、相対的に移動するラッチピンとラッチピンガイド部とが含まれ、上記ラッチピンガイド部には、上記ラッチピンを上記施錠位置から第１の上記解錠位置に向けて案内する往路側の第１ラッチガイド溝と、上記ラッチピンを上記解錠位置から上記待機位置に向けて案内する中間の第２ラッチガイド溝と、上記ラッチピンを上記待機位置から一旦第２の上記解錠位置に導いてから上記施錠位置に戻す復路側の第３ラッチガイド溝とが環状に形成されていることを特徴としている。
【００１１】
請求項３に記載の発明は、上記請求項２において、上記ロック制御手段には、少なくとも上記施錠位置と上記待機位置とにおいて上記ラッチピンのピン端部を目視可能とする透視孔が設けられていることを特徴としている。
【００１２】
請求項４に記載の発明は、上記請求項１ないし３のいずれか１項において、上記各固定ユニットはともに筒状に形成されたハウジングを備え、上記ロックレバーの先端および／または上記第２固定ユニットのハウジングの開口端縁には回転方向の力を上記ロックレバーに直線方向の力として与えるテーパー面が形成されていることを特徴としている。
【００１３】
請求項５に記載の発明は、上記請求項１ないし４のいずれか１項において、上記ロックレバーと上記第２固定ユニットのハウジングとの間には、ガイドレールとガイド溝とからなるロックレバーガイド手段が設けられていることを特徴としている。
【００１４】
請求項６に記載の発明は、上記請求項１ないし５のいずれか１項において、上記各固定ユニットを上記扉体の戸当たりを挟んで左右一対として対向的に配置する際に、それらの間隔を規定するスペーサを備えていることを特徴としている。
【００１５】
請求項７に記載の発明は、上記請求項１〜６において、上記ロックレバーには、上記扉体が強制的に開かれた際に、上記ロックレバーが上記第２固定ユニットから抜け出ることを防止するための脱落防止手段が設けられていることを特徴としている。
【００１６】
請求項８に記載の発明は、上記請求項７において、上記脱落防止手段は上記ロックレバーの上記扉体と対向する側の底面に幅方向に沿って形成された係止溝からなり、上記係止溝が上記第２固定ユニットの開口部に噛合することを特徴としている。
【００１７】
請求項９に記載の発明は、上記請求項１〜８のいずれか１項において、上記各固定ユニットは、所定の固定手段を介して被取付面に取り付けられるベース板を有し、上記ベース板は上記各固定ユニットに対してスライド可能に取り付けられていることを特徴としている。
【発明の効果】
【００１８】
請求項１に記載の発明によれば、操作ノブをスライドさせてロックレバーを解錠位置に戻して扉を開けたのち、操作ノブから手を離すとロック制御手段によりロックレバーが待機位置に案内されロックレバーの先端が第２固定ユニットの端縁に当接し得るように保持される。したがって、開けた扉を閉める際にロックレバーが第２固定ユニット（もしくは扉の戸当たり）により押し戻され、これによりロックレバーが待機位置から施錠位置に向けて飛び出し扉をロックする。このように、本発明によれば扉を閉めるたびに自動的に扉がロックされるためユーザーに安心感（信頼感）を与えることができる。しかも、構成が複雑な振動感知手段などを必要としないことから安価に提供できる。
【００１９】
請求項２に記載の発明によれば、ロック制御手段がラッチピンとラッチガイド溝とよりなり、電気的な制御系を一切含まないとともに構成が複雑な振動感知手段なども必要としないことから安価に提供できる。
【００２０】
請求項３に記載の発明によれば、組立時にラッチピンの位置確認と動作チェックを行うことができるばかりでなく、簡単な故障の場合には修理も行うことができる。
【００２１】
請求項４に記載の発明によれば、ロックレバーの先端および／または第２固定ユニットのハウジングの開口端縁に回転方向の力をロックレバーに直線方向の力として与えるテーパー面を設けたことにより、扉を閉じる際にロックレバーを確実に押し戻すことができる。
【００２２】
請求項５に記載の発明によれば、ロックレバーと第２固定ユニットのハウジングとの間にガイドレールとガイド溝とからなるロックレバーガイド手段が設けられているため、ロック状態においてたとえ過大な負荷がかけられたとしてもロックが解除されたり破壊されるのを防ぐことができる。
【００２３】
請求項６に記載の発明によれば、第１固定ユニットと第２固定ユニットの相対的な位置決めをするためのスペーサが付属されていることにより、取り付け作業が不得手なユーザーでも正確な位置に確実に取り付けることができる。
【００２４】
請求項７および８に記載の発明によれば、ロックレバーの一部に脱落防止手段としての係止溝を設けたことにより、強制的に扉体の開方向への力が加わっても、ロックレバーの係止溝が第２固定ユニットの開口縁に引っ掛かることにより、扉が開くことを防止することができる。
【００２５】
請求項９に記載の発明によれば、固定ユニットに対してベース板がスライド可能に取り付けられていることにより、扉体が強制的に開かれたとしても、ベース板に対して固定ユニットがスライドして扉の開き量の一部を吸収することができる。
【発明を実施するための最良の形態】
【００２６】
次に、図面を参照しながら本発明の実施形態について説明するが、本発明はこれに限定されるものではない。説明に用いる図面は図１ないし図１０であるが、そのうち図１は本発明による扉の施錠装置を食器棚などの両開き式扉に使用した状態を示す斜視図で、図２は上記扉の施錠装置が解錠された状態を示す斜視図である。
【００２７】
まず図１および図２を参照して、この扉の施錠装置１０は、食器棚などの収納家具１に設けられている扉体２，３の各々にその戸当たり４を挟んで左右対称的に取り付けられる２つの固定ユニット２０，３０を備えている。なお、適用される扉は回転式であれば片開き式であってもよい。そもそも、スライド式扉は地震によっては開き難いため本発明の対象外である。
【００２８】
図２に示すように、固定ユニット２０，３０のうち一方の固定ユニット２０は出没可能なロックレバー４０を備え、他方の固定ユニット３０はロックレバー４０の受け具として用いられることからして、一方の固定ユニット２０が能動側で他方の固定ユニット３０が受動側である。一方の固定ユニット２０を能動側の第１固定ユニット，他方の固定ユニットを受動側の第２固定ユニットとして、以下にその各構成を説明する。
【００２９】
図３（ａ）および（ｂ）を参照して、第１固定ユニット２０は角筒状に形成された第１ユニットハウジング２１を備えている。第１ユニットハウジング２１は扉体２に対して両面粘着テープもしくはネジなどにより直接的に固定されてもよいが、この例において、第１ユニットハウジング２１は第１ベース板２２を介して扉体２に取り付けられる。
【００３０】
すなわち、第１ユニットハウジング２１と第１ベース板２２は相対的にスライド可能であって、第１ベース板２２を例えば両面粘着テープ２３により扉体２に固定したのち、第１ベース板２２に第１ユニットハウジング２１をスライドさせて係合することにより第１ユニットハウジング２１が第１ベース板２２を介して扉体２に固定される。
【００３１】
これによれば、図１１に示すように、扉体２，３に対して強制的に開方向に力が加わった場合に、扉２，３の開き量に応じて、第１ベース板２１に対して第１ユニットハウジング２１がスライドして、ズレを吸収することにより、扉体２，３が開くのを防止することができる。
【００３２】
図３（ｂ）において、第１ユニットハウジング２１は左端側が開放され、右端側が閉塞されている。第１ユニットハウジング２１の内部には、第２固定ユニット３０に向けて出没（進入・後退）するロックレバー４０と、ロックレバー４０を所定位置に保持するロック制御手段５０とが設けられている。
【００３３】
第１ユニットハウジング２１の上面には、内部のロックレバー４０を操作するためのスライド可能な操作ノブ４４が設けられている。この例において、操作ノブ４４はその両端に２本の固定ピン４５を備え、固定ピン４５をロックレバー４０に穿設されている差込孔４３（図４（ａ）参照）に差し込むことによりロックレバー４０と連結される。なお、図３（ａ）に示すように、第１ユニットハウジング２１の上面には固定ピン４５を移動可能とするためのスライド孔２４が平行に２箇所設けられている。
【００３４】
ロックレバー４０は合成樹脂の成型品からなり、第１ユニットハウジング２１内に沿ってスライド可能な角柱体状に形成されている。図４（ａ）にも示すように、ロックレバー４０はその先端に山切り状（矢尻状）にカットされたテーパー面４１、４１を有し、また、ロックレバー４０の両側面には進退方向に沿ってガイド溝４２が形成されている。
【００３５】
テーパー面４１，４１は、扉体２，３にかかる回転方向の力をロックレバー４０に対して直線方向の力として与えるために必要とされる傾斜面で、この例ではロックレバー４０の進退方向に対して約４５°の角度になるように設けられている。
【００３６】
また、両側面にガイド溝４２を形成し第２固定ユニット３０側のガイドレール３３（図２参照）と噛み合せるようにしたことにより、ロック状態において過大な負荷が掛けられた場合であっても簡単にはロックが解除されないようにしている。
【００３７】
次に、図４（ａ）〜図４（ｃ）を参照して、ロックレバー４０の動きを制御するロック制御手段５０について説明する。ロック制御手段５０はプッシュラッチ式で、ロック制御手段５０にはロックレバー４０の後端側に一体的に取り付けられるラッチピンガイド部５１と、ラッチピン５３と、ロックレバー４０を常時第２固定ユニット３０側に向けて付勢するコイルバネ５４とが含まれている。
【００３８】
ラッチピン５３は金属棒の両端をほぼ９０°に折り曲げてコ字状に形成されており、先端の鉤部がラッチピンガイド部５１に形成されているラッチガイド溝５２内に落とし込まれ、後端の鉤部が第１ユニットハウジング２１の内壁に垂直軸線を中心として回転可能に軸支されている。
【００３９】
この例において、コイルバネ５４は第１ユニットハウジング２１の内壁とラッチピンガイド部５１との間に配置された圧縮バネからなり、ラッチピンガイド部５１を介してロックレバー４０を常に押し出す方向にバネ付勢している。
【００４０】
ラッチピンガイド部５１はロックレバー４０と一体になって進退するのに対して、ラッチピン５３は進退しないが、ラッチピン５３の先端部はラッチピンガイド部５１の動きにしたがってラッチガイド溝５２内を相対的に移動する。
【００４１】
図４（ｂ），（ｃ）を参照して、ラッチガイド溝５２には、ラッチピン５３を施錠位置５２ａから第１解錠位置５２ｂに向けて案内する往路側の第１ラッチガイド溝Ａと、ラッチピン５３を第１解錠位置５２ｂから待機位置５２ｃに向けて案内する中間の第２ラッチガイド溝Ｂと、ラッチピン５３を待機位置５２ｃから一旦第２解錠位置５２ｄに導いてから施錠位置５２ａに戻す復路側の第３ラッチガイド溝Ｃとが含まれている。
【００４２】
施錠位置５２ａは、ロックレバー４０をコイルバネ５４の付勢力にて図８（ａ）に示すように第２固定ユニット３０内に向けて完全に押し出した位置（ロック位置）である。第１解錠位置５２ｂは、ユーザーが操作ノブ４４に指をかけて図８（ｂ）に示すようにロックレバー４０を第１固定ユニット２０内に引き戻した位置（アンロック位置）で、この位置で扉を開くことができる。
【００４３】
待機位置５２ｃは、上記第１解錠位置５２ｂで操作ノブ４４から指を離した際にコイルバネ５４の付勢力にて第１解錠位置５２ｂよりも突出し図８（ｃ）に示すようにロックレバー４０の先端にあるテーパー面４１が第２固定ユニット３０の端縁に当接し得るように保持される位置（セミロック位置）である。第２解錠位置５２ｃは、待機位置５２ｃを中心として上記第１解錠位置５２ｂと対称的な位置に存在し、待機位置５２ｃにあるロックレバー４０が閉じられてくる扉によって第１固定ユニット２０内に押し戻される位置である。
【００４４】
ラッチガイド溝５２のうち、往路側の第１ラッチガイド溝Ａはその溝底が施錠位置５２ａから第１解錠位置５２ｂに向かうにしたがって上り勾配となる傾斜面で第１解錠位置５２ｂに至る直前にピン戻り防止用の段差面５２ｅが形成されている。
【００４５】
中間の第２ラッチガイド溝Ｂには、第１解錠位置５２ｂから待機位置５２ｃを経て第２解錠位置５２ｄに至るまでの経路が含まれ、第１解錠位置５２ｂと待機位置５２ｃとの間にはピン戻り防止用の段差面５２ｆが形成されており、また、待機位置５２ｃと第２解錠位置５２ｄとの間にもピン戻り防止用の段差面５２ｇが形成されている。
【００４６】
復路側の第３ラッチガイド溝Ｃは、その溝底が第２解錠位置５２ｄから施錠位置５２ａに向かうにしたがって上り勾配となる傾斜面で施錠位置５２ａに至る直前にピン戻り防止用の段差面５２ｈが形成されている。これによれば、各段差面５２ｅ〜５２ｈによってラッチピン５３の先端部が各ラッチガイド溝Ａ〜Ｃを逆戻りすることなく確実に一方通行させることができる。
【００４７】
再び図３（ａ）を参照して、第１ユニットハウジング２１の上面にはラッチピン５３の先端部と後端の軸支部とを目視可能な確認窓２５，２６が設けられている。確認窓２５，２６は第１ユニットハウジング２１の上部から内部の一部が見える透孔からなり、そこからプッシュピン５３の端部が見え動作を確認できる。また、例えばプッシュピン５３がラッチガイド溝５２から外れた場合には、そこから工具などを差し込んで正常な位置に直すこともできる。
【００４８】
次に、受動側の第２固定ユニット３０について再び図２を参照しながら説明する。第２固定ユニット３０は上記第１固定ユニット２０と同様に角筒状に形成された第２ユニットハウジング３１を備え、第２ベース板３２を介して扉体３側に取り付けられてよい。第２ベース板３２は上記第１固定ユニット２０側の第１ベース板２２と同じ構成であってよいため、その説明は省略する。
【００４９】
第２ユニットハウジング３１は、第１ユニットハウジング２１と対向する一端側が開放され他端側が閉塞されている。第２ユニットハウジング３１の対向する内側面にはロックレバー４０のガイド溝４２と摺動可能に係合するガイドレール３３が設けられている。
【００５０】
また、第２ユニットハウジング３１は、第１固定ユニット２０と対向する側の端縁が丸く削られたテーパー面３４であることが好ましい。これによれば、扉体２，３の閉扉時に待機位置５２ｃに保持されているロックレバー４０の先端（テーパー面４１）を容易に乗り越えることができる。
【００５１】
上記した第１および第２の固定ユニット２０，３０を扉体２，３にそれぞれ取り付ける際、第１固定ユニット２０側のロックレバー４０が第２固定ユニット３０側の第２ユニットハウジング３１内に的確に嵌合するように、その相対的な位置および距離（間隔）を位置決めする必要がある。そこで、本発明による扉の施錠装置１０は、各固定ユニット２０，３０同士の相対的な取付位置を位置決めする図６に示すスペーサ６０を備えている。
【００５２】
スペーサ６０は、固定ユニット２０，３０の間の間隔を適正に保つ厚さ（この例では３ｍｍ）を有する好ましくは合成樹脂製の板体からなり、中央にはロックレバー４０が差し込まれるガイド孔６１が設けられている。
【００５３】
これによれば、図７に示すようにあらかじめスペーサ６０を挟んで各固定ユニット２０，３０同士をつないだ状態として扉体２，３に取り付けることにより最適な位置で設置することができる。なお、ガイド孔６１の両側面にはガイド溝４２に合致する凸部６２が設けられていることが好ましい。
【００５４】
次に、図５（ａ）〜（ｄ）および図８（ａ）〜（ｃ）を参照して、本発明による扉の施錠装置１０の一連のプッシュラッチ動作について説明する。ここで、図５（ａ）および図８（ａ）に示すように、ロックレバー４０がコイルバネ５４により付勢されて第２固定ユニット３０内に深く進入しているロック状態、すなわちロックレバー４０がラッチピン５３により施錠位置５２ａに保持されているときを初期位置とする。
【００５５】
この初期位置のロック状態から扉を開けるには、まず、操作ノブ４４に指をかけてロックレバー４０をコイルバネ５４の付勢力に抗して右側にスライドさせ、図５（ｂ）に示すようにラッチピン５３の先端部が第１解錠位置５２ｂに突き当るまで移動させる。これにより、図８（ｂ）に示すようにロックレバー４０が第２固定ユニット３０から外されるため、ユーザーは扉を開けることができる。
【００５６】
扉を開けたのち操作ノブ４４から指を離すと、コイルバネ５４によりロックレバー４０が押し出されるが、このときラッチピン５３の先端部が待機位置５２ｃの溝に引っかかるため、ロックレバー４０は図５（ｃ）に示すように図５（ｂ）の解錠位置より若干飛び出した位置に保持される。すなわち、この待機位置５２ｃにおいてロックレバー４０は図８（ｃ）に示すようにその先端のテーパー面４１が第２固定ユニット３０の端縁と当接するように保持される。
【００５７】
次に、扉が閉められる方向に動かされると、図８（ｃ）に示すようにロックレバー４０のテーパー面４１が第２固定ユニット３０の端縁に当接し、これによりロックレバー４０が図５（ｄ）に示すようにコイルバネ５４の付勢力に抗して押し戻される。このとき、ラッチピン５３の先端部は待機位置５２ｃから第２解錠位置５２ｄに移動する。
【００５８】
そして、扉が完全に閉じられ第２固定ユニット３０がロックレバー４０のテーパー面４１を乗り越えると、ラッチピン５３の先端部が第２解錠位置５２ｄから復路側の第３ラッチガイド溝Ｃに入るため、ロックレバー４０がコイルバネ５４により押し出され図５（ａ）および図８（ａ）に示す初期位置に戻される。
【００５９】
すなわち、ロックレバー４０はラッチピン５３の先端部が復路側の第３ラッチガイド溝Ｃを通って施錠位置５２ａに至ることにより第２固定ユニット３０の第２ユニットハウジング３１内に深く進入する。このようにして、本発明によれば扉を閉めることに伴って自動的にロックがかかる。
【００６０】
図８（ａ）〜（ｃ）は第１固定ユニット２０側の扉体２を開閉した場合の動作を示しているが、第２固定ユニット３０側の扉体３を開閉する場合にも、図９に示すように第２ユニットハウジング３１の端縁がロックレバー４０の先端のテーパー面４１に当接してロックレバー４０を一旦押し戻すため上記と同様に自動的にロックがかかる。
【００６１】
すなわち、扉体２，３をともに開け離した状態で扉を閉める場合、いずれか一方の扉体を先に閉めてから、他方の扉体を閉めるようにすれば自動的にロックをかけることができる。
【００６２】
上記実施形態において、第１固定ユニット２０と第２固定ユニット３０は、第１固定ユニット２０側に設けられたロックレバー４０を第２固定ユニット３０内に向けて差し込むことにより、扉体２，３の開閉を規制しているが、より強固に固定する方法の一例を図１０（ａ），（ｂ）に示す。なお、上記実施形態と同一もしくは同一を見なされる箇所には同じ参照符号を付し、説明は省略する。
【００６３】
この施錠装置１０は、その特徴としてロックレバー４０の一部に脱落防止手段としての係止溝７０が設けられている。係止溝７０は、ロックレバー４０の上記扉体２，３に対向する側の底面に幅方向に沿って逆Ｖ字状に刻まれた切欠溝からなり、この例では、２コの係止溝７０，７０が第１ベース板２２のスライド方向に沿って隣接して設けられている。
【００６４】
これによれば、図１１に示すように、扉体２，３に対して開方向に強制的に力が加わった場合、係止溝７０が相手方の第２固定ユニット３０の開口縁に引っ掛かることにより、ロックレバー４０が第２固定ユニット３０から抜け出て、扉体２，３が開いてしまうことを防止することができる。このような態様も本発明に含まれる。
【００６５】
なお、この例において脱落防止手段は切欠溝７０からなるが、切欠溝７０以外にエンボス加工などによる高摩擦化処理を施してもよい。
【００６６】
また、片開き扉の場合には第１固定ユニット２０と第２固定ユニット３０のうち、その一方を開き戸側に設置し、他方をその戸当たり側の壁に設置すればよい。本発明の扉施錠装置は食器棚のみならず、例えば部屋の扉などにも適用できることはもちろんである。
【図面の簡単な説明】
【００６７】
【図１】本発明の一実施形態に係る扉の施錠装置を食器棚の扉に適用した状態を示す斜視図。
【図２】上記扉の施錠装置を解錠した状態を示す斜視図。
【図３】（ａ）上記扉の施錠装置に含まれる第１固定ユニットの内部構造を示す平面透視図，（ｂ）その側面透視図。
【図４】（ａ）ロック制御手段を示す斜視図，（ｂ）ロック制御手段に含まれるラッチピンガイド部を示す拡大斜視図，（ｃ）ラッチピンガイド部に形成されているラッチガイド溝を示す平面図。
【図５】（ａ）〜（ｄ）上記ロック制御手段の一連の動作を説明する平面透視図。
【図６】本発明が備えるスペーサの斜視図。
【図７】上記スペーサの使用状態を示す側面図。
【図８】（ａ）〜（ｃ）本発明の動作説明図。
【図９】本発明の動作説明図。
【図１０】（ａ）ロックレバーに脱落防止手段を設けた状態を示す要部断面図，（ｂ）ロックレバーの部分拡大図。
【図１１】脱落防止手段が作用した状態を説明する動作説明図。
【符号の説明】
【００６８】
１  収納家具
２，３  扉体
４  戸当たり
１０  扉の施錠装置
２０  第１固定ユニット
３０  第２固定ユニット
４０  ロックレバー
４１  テーパー面
４２  ガイド溝
４４  操作ノブ
５０  ロック制御手段
５１  ラッチピンガイド部
５２  ラッチガイド溝
５３  ラッチピン
５４  コイルバネ
６０  スペーサ
７０  切欠溝
【図１】
2006029068.tif 000003
【図２】
2006029068.tif 000004
【図３】
2006029068.tif 000005
【図４】
2006029068.tif 000006
【図５】
2006029068.tif 000007
【図６】
2006029068.tif 000008
【図７】
2006029068.tif 000009
【図８】
2006029068.tif 000010
【図９】
2006029068.tif 000011
【図１０】
2006029068.tif 000012
【図１１】
2006029068.tif 000013